(57)【特許請求の範囲】
【請求項１】
縦断面において長寸下部と屈曲してこれに連続する短寸上部とを有するリッドを開閉するサイドロック装置であって、該リッドの短寸上部の裏面側に固定されるハウジングと、該ハウジングに回転可能に軸支される円盤状のローターと、該ローターの回転と連動して進退動する左右一対のロッドとを備え、ハウジングは、リッドの短寸上部に沿って縦方向に設けられたローターの軸受部と、該軸受部とは空間を画して対向する第一壁・第二壁とを有し、ローターは、その円盤形状をリッドの短寸上部の壁厚方向と水平となるように上記軸受部に軸支され、左右一対のロッドは、上記空間を画成する第一壁と第二壁の間に互いに逆方向へスライド可能に支持される一方、ハウジングは、ローターの円盤状外周面を摺接支持する円筒部を更に有し、ローターは、その円盤状外周面にＯリングを装着する周溝を形成すると共に、その半径方向に左右一対のロッドを接続する一対の接続溝を中心を挟んで対向して配設し、且つ、該各接続溝の外端側は上記周溝と連通していることを特徴とするサイドロック装置。
【請求項２】
縦断面において長寸下部と屈曲してこれに連続する短寸上部とを有するリッドを開閉するサイドロック装置であって、該リッドの短寸上部の裏面側に固定されるハウジングと、該ハウジングに回転可能に軸支される円盤状のローターと、該ローターの回転と連動して進退動する左右一対のロッドとを備え、ハウジングは、リッドの短寸上部に沿って縦方向に設けられたローターの軸受部と、該軸受部とは空間を画して対向する第一壁・第二壁とを有し、ローターは、その円盤形状をリッドの短寸上部の壁厚方向と水平となるように上記軸受部に軸支され、左右一対のロッドは、上記空間を画成する第一壁と第二壁の間に互いに逆方向へスライド可能に支持される一方、操作手段は、上記ハウジングに揺動可能に軸支され、左右一対のロッドの内、リッド表面から遠い側に位置するロッド側に設けられて、上記第一壁・第二壁の内、リッド表面から遠い側に位置するロッドと接する壁内で、リッド表面から遠い側に位置するロッドと干渉することを特徴とするサイドロック装置。
【発明の詳細な説明】
【技術分野】
【０００１】
本発明は、例えば、自動車のインストルメントパネル側に開閉可能に取り付けられるグローブボックスそれ自体又はその独立したリッドをロックするサイドロック装置に関するものである。
【背景技術】
【０００２】
従来のこの種サイドロック装置は、具体的には図示しないが、グローブボックス本体側に固定されるハウジング内に、ピニオンギアを回転可能に軸支すると共に、左右一対のロッドの基端部を進退動可能に配設して、該各ロッドの基端部面に形成されたラックを上記ピニオンギアに互いに逆方向から咬合させる一方、一方のロッドを付勢ばね圧でインストルメントパネル側に開設されたロック孔方向に付勢すると共に、グローブボックス本体の前面に操作ノブを設けて、該操作ノブの操作で、他方のロッドを上記付勢ばね圧に抗して後退させ得る構成となっている（例えば、特許文献１参照）。
【０００３】
そして、グローブボックス本体の閉塞状態にあっては、上記した付勢ばね圧の作用で、左右一対のロッドの先端部がインストルメントパネルの対応するロック孔に係入して、グローブボックスをその閉塞位置にロックすることとなるが、このロック状態を解除してグローブボックスを開放する場合には、操作ノブの操作で、他方のロッドを付勢ばね圧に抗して後退させて、該ロッドの先端部を対応するロック孔から後退させると、これに伴い、ピニオンギアの回転で、今度は、一方のロットが連動して、同様に、該ロッドの先端部を対応するロック孔から後退させるので、これにより、グローブボックス本体を開放方向へ移動させることが可能となる。
【特許文献１】特開２００４−２１１３８３号公報
【発明の開示】
【発明が解決しようとする課題】
【０００４】
従って、従来のサイドロック装置にあっては、特に、ピニオンギアを水平状態に配置する関係で、その取付スペースは奥行き方向が大きくなるものの、上下方向では比較的小さくできる利点を有するが、反面、ピニオンギアと左右のラックとの組み付けに際しては、一対のラック位置の同期化が頗る困難で、組付工数が大変となることは言うまでもないが、特に、左右一対のロッド間に作動上のズレが生じる恐れがあった。
【課題を解決するための手段】
【０００５】
本発明は、斯かる従来のサイドロック装置が抱える課題を有効に解決するために開発されたもので、請求項１記載の発明は、縦断面において長寸下部と屈曲してこれに連続する短寸上部とを有するリッドを開閉するサイドロック装置であって、該リッドの短寸上部の裏面側に固定されるハウジングと、該ハウジングに回転可能に軸支される円盤状のローターと、該ローターの回転と連動して進退動する左右一対のロッドとを備え、ハウジングは、リッドの短寸上部に沿って縦方向に設けられたローターの軸受部と、該軸受部とは空間を画して対向する第一壁・第二壁とを有し、ローターは、その円盤形状をリッドの短寸上部の壁厚方向と水平となるように上記軸受部に軸支され、左右一対のロッドは、上記空間を画成する第一壁と第二壁の間に互いに逆方向へスライド可能に支持される一方、ハウジングは、ローターの円盤状外周面を摺接支持する円筒部を更に有し、ローターは、その円盤状外周面にＯリングを装着する周溝を形成すると共に、その半径方向に左右一対のロッドを接続する一対の接続溝を中心を挟んで対向して配設し、且つ、該各接続溝の外端側は上記周溝と連通していることを特徴とする。
【０００６】
請求項２記載の発明は、縦断面において長寸下部と屈曲してこれに連続する短寸上部とを有するリッドを開閉するサイドロック装置であって、該リッドの短寸上部の裏面側に固定されるハウジングと、該ハウジングに回転可能に軸支される円盤状のローターと、該ローターの回転と連動して進退動する左右一対のロッドとを備え、ハウジングは、リッドの短寸上部に沿って縦方向に設けられたローターの軸受部と、該軸受部とは空間を画して対向する第一壁・第二壁とを有し、ローターは、その円盤形状をリッドの短寸上部の壁厚方向と水平となるように上記軸受部に軸支され、左右一対のロッドは、上記空間を画成する第一壁と第二壁の間に互いに逆方向へスライド可能に支持される一方、操作手段は、上記ハウジングに揺動可能に軸支され、左右一対のロッドの内、リッド表面から遠い側に位置するロッド側に設けられて、上記第一壁・第二壁の内、リッド表面から遠い側に位置するロッドと接する壁内で、リッド表面から遠い側に位置するロッドと干渉することを特徴とする。
【発明の効果】
【０００９】
依って、請求項１記載の発明にあっては、ローターがハウジングに対して水平状態に軸支されることとなるので、その取付スペースは奥行き方向が大きくなるものの、上下方向では大いにコンパクト化されるので、リッドの短寸上部の裏側に取り付けられるサイドロック装置としては最適となるが、これに加えて、従来のピニオンギアに代えてローターを採用した関係で、ロッドの誤組付の心配がなくなると共に、ハウジングにローターの円盤状外周面を摺接支持する円筒部を設けた関係で、操作時にローターが傾くことがないので、操作性と高品質感を提供できる。
【００１０】
更に、請求項１記載の発明にあっては、Ｏリングの長さ・太さがばらついたり、周溝の底径がばらついたり、ハウジングの円筒部の内径がばらついたりして、Ｏリングが過度に圧縮される場合であっても、Ｏリングは、その周溝から連通する接続溝内に逃げることが可能となるので、円筒部との摩擦抵抗が大きくなることがない。又、Ｏリング自体を使用することは、ローターの回転に伴う不快音を吸収できるので、音対策にも役立つこととなる。
【００１１】
請求項２記載の発明にあっても、ローターがハウジングに対して水平状態に軸支されることとなるので、その取付スペースは奥行き方向が大きくなるものの、上下方向では大いにコンパクト化されるので、リッドの短寸上部の裏側に取り付けられるサイドロック装置としては最適となるが、これに加えて、従来のピニオンギアに変えてローターを採用した関係で、ロッドの誤組付の心配がなくなる。更に、操作手段を、左右一対のロッドの内、リッド表面から遠い側に位置するロッド側に設けた関係で、操作手段をリッドの短寸上部の裏面スペースを利用して配置することが可能となるので、操作手段がリッド表面から不要に突出することがない。
【００１２】
又、請求項２記載の発明にあっては、揺動式の操作手段をリッド表面から遠い側に位置するロッドと干渉させる関係で、操作手段を揺動中心から離れた箇所でロッドと干渉させられるので、大きなレバー比を得て、リッドを確実に開放できる。
【発明を実施するための最良の形態】
【００１３】
本発明は、縦断面において長寸下部と屈曲してこれに連続する短寸上部とを有するリッドを開閉するサイドロック装置を前提として、リッドの短寸上部の裏面側に固定されるハウジングと、該ハウジングに回転可能に軸支される円盤状のローターと、該ローターの回転と連動して進退動する左右一対のロッドとを備え、ハウジングは、リッドの短寸上部に沿って縦方向に設けられたローターの軸受部と、該軸受部とは空間を画して対向する第一壁・第二壁とを有し、ローターは、その円盤形状をリッドの短寸上部の壁厚方向と水平となるように上記軸受部に軸支され、左右一対のロッドは、上記隙間を画成する第一壁と第二壁の間に互いに逆方向へスライド可能に支持される一方、ハウジングは、ローターの円盤状外周面を摺接支持する円筒部を更に有することにより、リッドの短寸上部の裏側に取り付けられる最適なサイドロック装置を提供せんとするものである。
【実施例】
【００１４】
以下、本発明を図示する好適な実施例に基づいて詳述すれば、該実施例に係るサイドロック装置は、図１に示す如く、縦断面において、傾斜する長寸下部Ｌａと、直立状態に屈曲してこれに連続する短寸上部Ｌｂとを有するリッドＬを備えたグローブボックス本体Ｂを対象として開発されたものであるが、この場合には、リッドＬの短寸上部Ｌｂの裏面にしかサイドロック装置を配置できないので、その取付スペースは、奥行き方向では多少大きくなっても、上下方向ではかなりの制限を受けて、サイドロック装置自体の上下方向におけるコンパクト化が強く要求されることとなるので、斯かる見地に立って開発されたものである。
【００１５】
これを詳しく説明すると、本実施例に係るサイドロック装置は、図２に示す如く、主として、上記したリッドＬの短寸上部Ｌｂの裏面側に固定される箱状のハウジング１と、該ハウジング１に回転可能に軸支される円盤状のローター２と、該ローター２の回転と連動してハウジング１に対して進退動する左右一対のピン３Ａ・３Ｂと、一方のピン３Ａに連結されてインストルメントパネル側に開設されたロック孔内を出没する１本のロッド４と、他方のピン３Ｂを強制的に後退させる操作手段たる操作ノブ５と、該操作ノブ５に装着されるキーシリンダー６とを備える構成となっている。
【００１６】
そして、ハウジング１は、図３・図４にも示す如く、上面側の略中央部にローター２の円盤状外周面を摺接支持する円筒部７を開放状態をもって形成すると共に、該円筒部７の内側にリッドＬの短寸上部Ｌｂに沿う縦方向の軸受部８を設けて、該縦方向の軸受部８に後述するローター２の脚部１６を回転可能に嵌合することにより、ローター２を自身の円盤形状がリッドＬの短寸上部Ｌｂの壁厚方向と水平となるように軸支できる構成となっている。又、この縦方向の軸受部８とは空間１１を画して対向する第一壁９と第二壁１０を設けて、該第一壁９と第二壁１０の間に画成される空間１１内に上記左右一対のピン３Ａ・３Ｂを互いに逆方向へスライド可能に支持する構成となっている。更に、ハウジング１の前面一端部側に後述する操作ノブ５の保持筒２９を臨ませる開口部１２を形成すると共に、その上下に軸孔１３を形成して、該軸孔１３と後述する操作ノブ５の取付片３２に形成された軸孔３３に軸１４を挿通することにより、ハウジング１の前面に対して操作ノブ５を揺動可能に軸支する構成となっている。尚、図中、１５は後述する圧縮コイルばね３１の受け部である。
【００１７】
ローター２は、図５にも示す如く、円盤状に成形されて、下面に上記ハウジング１側の軸受部８に嵌合する脚部１６を有し、その円盤状外周面にＯリング１７を装着する周溝１８を形成すると共に、半径方向に後述する左右一対のピン３Ａ・３Ｂに設けられた凸部２０を係入する一対の接続溝１９を中心を挟んで対向して開設し、且つ、該各接続溝１９の外端を上記周溝１８と連通させる構成となっている。従って、例え、Ｏリング１７の長さ・太さがばらついたり、周溝１８の底径がばらついたり、ハウジング１の円筒部７の内径がばらついたりして、Ｏリング１７が過度に圧縮される場合であっても、Ｏリング１７は、その周溝１８から連通する接続溝１９内に逃げることが可能となるので、円筒部７との摩擦抵抗が徒に大きくなることがない。又、Ｏリング１７自体を使用することは、ローター２の回転に伴う不快音を吸収できるので、音対策にも役立つこととなる。
【００１８】
左右一対のピン３Ａ・３Ｂの内、ロッド４が連結される一方のピン３Ａは、図６にも示す如く、クランク状に成形されて、その一端側に上記ローター２の接続溝１９に係入する凸部２０を形成すると共に、他端側にロッド４の基端部を連結する連結部２１を形成し、且つ、中間部に左右一対のピン３Ａ・３Ｂをハウジング１から突出させる方向に付勢する圧縮コイルばね２３の受け部２２を形成する構成となっている。
【００１９】
又、ロッド４が連結されない他方のピン３Ｂは、図７にも示す如く、棒状に成形されて、その一端側にやはりローター２の接続溝１９に係入する凸部２０を形成すると共に、他端側の端面にインストルメントパネルのロック孔の孔縁に当接する傾斜面２４を付与し、且つ、中間部に後述する回転体３５側の偏心軸３６と干渉する作動片２５を前面側に突出させて形成すると共に、背面部にハウジング１からの抜け外れ防止爪２６を設ける構成となっている。この為、当該他方のピン３Ｂ自体は、同側におけるロッド４を兼用して、自身の他端部側が直にインストルメントパネルのロック孔を出没することとなる。
【００２０】
従って、左右一対のピン３Ａ・３Ｂを上記ハウジング１の第一壁９と第二壁１０で画成される空間１１内にその凸部２０側から挿入して、各凸部２０をローター２の対応する接続溝１９内に係入すれば、上記１本の圧縮コイルばね２３のばね圧で、左右一対のピン３Ａ・３Ｂはハウジング１から外方に突出付勢されることとなるが、他方のピン３Ｂの作動片２５が後述する回転体３５の偏心軸３６でハウジング１の内方へ押圧されると、これにより、ローター２が所定方向へ回転して、左右一対のピン３Ａ・３Ｂが同期してハウジング１の内方へ引き込まれることとなる。
【００２１】
ロッド４は、図２に示す如く、基端部側に上記一方のピン３Ａの連結部２１にスナップ嵌合する弾性部２７を形成すると共に、先端部側の端面にインストルメントパネルのロック孔の孔縁に当接する傾斜面２８を付与する構成となっている。
【００２２】
操作ノブ５は、横引きの揺動式として構成されたもので、図８にも示す如く、全体が矩形状に成形されて、その一側にキーシリンダー６の保持筒２９を裏側に向けて突設すると共に、該保持筒２９の外側に操作ノブ５を常時ニュートラル方向に付勢する圧縮コイルばね３１の受け部３０を設け、且つ、該受け部３０の上下方向に軸孔３３を有する取付片３２を設ける構成となっている。従って、上記受け部３０とハウジング１に形成された受け部１５に圧縮コイルばね３１を装着しながら、ハウジング１側の軸孔１３とこの取付片３２側の軸孔３３に軸１４を挿通すれば、操作ノブ５自体がハウジング１に対して揺動可能に取り付けられることとなるが、この場合には、圧縮コイルばね３１のばね圧で、操作ノブ５の他側は、そのストッパー突起３４がハウジング１の開口部１２の縁に衝突するまでハウジング１方向へ付勢されることとなる。
【００２３】
又、上記保持筒２９の先端部に対しては、偏心軸３６を有する回転体３５をプレート３９を介して回転可能に支持するものであるが、前者の回転体３５は、図９にも示す如く、基盤の一面側に偏心軸３６と該偏心軸３６とよりも大径で背の低い円柱部３７を変位して形成し、同他面側にキーシリンダー６の駆動軸（図示せず）と係合する係合溝３８を形成し、後者のプレート３９は、図１０にも示す如く、その中央部に上記偏心軸３６と円柱部３７を嵌入する達磨孔４０を形成し、周縁に保持筒２９の先端縁に引っ掛かる引掛片４１を形成して、図１１に示す如く、操作ノブ５の保持筒２９にＥリング４２を介して回転可能に取り付けられる構成となっている。
【００２４】
従って、操作ノブ５の保持筒２９内にキーシリンダー６を装着して、該キーシリンダー６の駆動軸を回転体３５の係合溝３８に係合させた状態を得て、キーシリンダー６を施錠・解錠すれば、これに応じて、回転体３５の偏心軸３６が上記した他方のピン３Ｂの中間部に設けられた作動片２５に対して、干渉する位置と干渉しない位置間を回動することとなる。
【００２５】
依って、斯かる構成のサイドロック装置を組み付ける場合には、まず、ロッド４を連結した一方のピン３Ａを圧縮コイルばね２３を介装しながらハウジング１の第一壁９と第二壁１０とで画成される空間１１内に挿入すると同時に、他方のピン３Ｂをそのまま同じく第一壁９と第二壁１０とで画成される空間１１内に逆方向からも挿入し、その後、ローター２の接続溝１９に各自の凸部２０を係入させながら、ハウジング１の円筒部７内に、軸受部８と脚部１６を介してローター２を回転可能に軸支する一方、操作ノブ５の保持筒２９の先端に回転体３５とプレート３９をＥリング４２を介して取り付け、且つ、保持筒２９内にキーシリンダー６をワイヤー４３を介して固定して、後は、操作ノブ５をハウジング１側に軸支すると、図１２に示す如く、サイドロック装置がユニット化して簡単に組み付けられることとなる。
【００２６】
尚、操作ノブ５をハウジング１側に揺動可能に取り付ける場合には、図１３に示す如く、その保持筒２９が、上記した開口部１２の存在を利用して、左右一対のピン３Ａ・３Ｂの内、リッドＬ表面から遠い側に位置する他方のピン３Ｂ側に位置させて、且つ、同他方のピン３Ｂの作動片２５と回転体３５の偏心軸３６とを干渉させるものとする。この為、本実施例にあっては、操作ノブ５をリッドＬの短寸上部Ｌｂの裏面スペースを利用して配置することが可能となるので、操作ノブ５がリッドＬ表面から不要に突出することがないと共に、操作ノブ５をその揺動中心から離れた箇所で他方のピン３Ｂと干渉させられるので、大きなレバー比を得て、リッドＬを確実に開放できる。
【００２７】
従って、後は、そのまま、リッドＬの短寸上部Ｌｂの裏面にハウジング１をネジ止めすれば、これにより、その使用に供せられることとなるが、この場合には、ローター２が水平状態に設置される関係で、装置自体は、上下方向には可能な限りコンパクト化できるので、既述した縦断面において長寸下部Ｌａと屈曲してこれに連続する短寸上部Ｌｂを有するリッドＬには頗る最適なものとなる。又、本実施例にあっては、従来のピニオンギアに代えて、ギアを有しないローター２を使用した関係で、左右一対のピン３Ａ・３Ｂの誤組付の心配がなくなると共に、当該ローター２はハウジング１の円筒部７で摺接支持されるので、操作時にローター２が不用意に傾くことも決してない。
【００２８】
そして、実際の使用に際して、グローブボックス本体Ｂの閉塞状態にあっては、図１４に示す如く、上記した圧縮コイルばね２３の作用で、他方のピン３Ｂの先端部と一方のピン３Ａに連結されたロッド４の先端部とがインストルメントパネル（図示せず）側の対応する左右のロック孔４４に係入しているので、これにより、グローブボックス自体がその閉塞位置にロックされることとなる。尚、この場合に、キーシリンダー６を施錠すれば、具体的には図示しないが、回転体３５の偏心軸３６が他方のピン３Ｂの作動片２５と干渉しない位置まで回動して、例え、操作ノブ５を開閉操作しても、その操作力が他方のピン３Ｂ側に伝達されないので、誤って、グローブボックス本体Ｂが開放されることはない。
【００２９】
上記ロック状態を解除してグローブボックスを開放する場合には、キーシリンダー６が施錠されていれば、これを解錠して、回転体３５の偏心軸３６が他方のピン３Ｂの作動片２５と干渉する位置まで回動する状態を得て、操作ノブ５を図中矢印方向に揺動すると、今度は、回転体３５の偏心軸３６が他方のピン３Ｂを圧縮コイルばね２３のばね圧に抗してハウジング１の内方へ引き込むので、これに伴い、ローター２が回転して、一方のピン３Ａをも圧縮コイルばね２３のばね圧に抗してハウジング１の内方へ引き込ませて、一方のピン３Ａに連結されているロッド４をも後退させるので、これにより、図１５に示す如く、他方のピン３Ａの先端部とロッド４の先端部が対応するロック孔４４から後退して、グローブボックス本体Ｂを開放方向へ移動させることが可能となる。
【００３０】
逆に、開放されたグローブボックスを閉じる場合には、グローブボックス本体Ｂをインストルメントパネル側に回動すると、他方のピン３Ｂの傾斜面２４とロッド４の傾斜面２８とが対応するロック孔４４の孔縁に当接して、他方のピン３Ｂとロッド４が圧縮コイルばね２３のばね圧に抗して押し戻されるので、これにより、他方のピン３Ｂとロッド４がロック孔４４に至ると、再び、ロック孔４４に係入するので、グローブボックス本体Ｂがその閉塞位置にロックされることとなる。
【産業上の利用可能性】
【００３１】
本発明に係るサイドロック装置は、従来のピニオンギアに代えてローターを採用した関係で、左右一対のピン（ロッド）の誤組付の心配がなくなると共に、ハウジングにローターの円盤状外周面を摺接支持する円筒部を設けた関係で、操作時にローターが傾くことがないので、これを自動車のインストルメントパネル側に開閉可能に取り付けられるグローブボックスそれ自体又はその独立したリッドに応用すれば、頗る好都合なものとなる。
【図面の簡単な説明】
【００３２】
【図１】（Ａ）は本発明の実施例に係るサイドロック装置が応用されるグローブボックスを示す斜視図、（Ｂ）は同縦断面図である。
【図２】本発明の実施例に係るサイドロック装置を示す分解斜視図である。
【図３】（Ａ）はハウジングを示す平面図、（Ｂ）は同正面図である。
【図４】（Ａ）は図３ＡのＡ−Ａ線断面図、（Ｂ）は図３ＡのＢ−Ｂ線断面図、（Ｃ）は図３ＢのＣ−Ｃ線断面図である。
【図５】（Ａ）はローターを示す平面図、（Ｂ）は同正面図、（Ｃ）は図５ＡのＤ−Ｄ線断面図、（Ｄ）は図５ＡのＥ−Ｅ線断面図である。
【図６】一方のピンを示す平面図である。
【図７】（Ａ）は他方のピンを示す正面図、（Ｂ）は図７ＡのＦ−Ｆ線断面図である。
【図８】（Ａ）は操作ノブを示す側面図、（Ｂ）は図８ＡのＧ−Ｇ線断面図である。
【図９】回転体を示す斜視図である。
【図１０】プレートを示す斜視図である。
【図１１】操作ノブの保持筒の先端に回転体とプレートを取り付けた状態を示す斜視図である。
【図１２】本発明の実施例に係るサイドロック装置をユニット化して組み付けた状態を示す斜視図である。
【図１３】組付状態を示す横断面図である。
【図１４】グローブボックスを閉塞位置にロックした状態を示す平面図である。
【図１５】グローブボックスのロックを解除した状態を示す平面図である。
【符号の説明】
【００３３】
Ｌ    リッド
Ｌａ  リッドの長寸下部
Ｌｂ  リッドの短寸上部
Ｂ    グローブボックス本体
１    ハウジング
２    ローター
３Ａ  一方のピン
３Ｂ  他方のピン（ロッド）
４    ロッド
５    操作ノブ
６    キーシリンダー
７    円筒部
８    軸受部
９    第一壁
１０  第二壁
１１  空間
１２  開口部
１３  軸孔
１４  軸
１５  受け部
１６  脚部
１７  Ｏリング
１８  周溝
１９  接続溝
２０  凸部
２１  連結部
２２  受け部
２３  圧縮コイルばね
２４  傾斜面
２５  作動片
２６  抜け外れ防止爪
２７  弾性部
２８  傾斜面
２９  保持筒
３０  受け部
３１  圧縮コイルばね
３２  取付片
３３  軸孔
３４  ストッパー突起
３５  回転体
３６  偏心軸
３７  円柱部
３８  係合溝
３９  プレート
４０  達磨孔
４１  引掛片
４２  Ｅリング
４３  ワイヤー
４４  ロック孔
【図１】
0004716864.tif 000002
【図２】
0004716864.tif 000003
【図３】
0004716864.tif 000004
【図４】
0004716864.tif 000005
【図５】
0004716864.tif 000006
【図６】
0004716864.tif 000007
【図７】
0004716864.tif 000008
【図８】
0004716864.tif 000009
【図９】
0004716864.tif 000010
【図１０】
0004716864.tif 000011
【図１１】
0004716864.tif 000012
【図１２】
0004716864.tif 000013
【図１３】
0004716864.tif 000014
【図１４】
0004716864.tif 000015
【図１５】
0004716864.tif 000016